(57)【要約】【課題】電子ペーパーに記録される画像の濃淡を多段階の階調により表現し、画質を向上させる。【解決手段】着色帯電粒子を有し該着色帯電粒子が厚み方向に移動することにより画像を表示する電子ペーパーを、その厚み方向に電界が発生している領域内に送り込む第一送り込み処理及び第二送り込み処理を実行する。第二送り込み処理の際に発生する電界が、第一送り込み処理の際に発生する電界よりも大きくなるように設定する。そして、その第一送り込み処理及び第二送り込み処理のどちらか一方の際に、第二画像部を電子ペーパーに表示させる画像記録処理を行い、かつ、第一送り込み処理及び第二送り込み処理の双方の際に、該第二画像部の階調値よりも高い階調値を有する第一画像部を電子ペーパーに表示させる画像記録処理を行なう。【選択図】図６
2011221160.tif 000002
【特許請求の範囲】
【請求項１】
潜像を担持するための電荷を保持する電荷保持層を有する複数の像担持体と、
前記像担持体ごとに対向する複数の対向部材と、
着色帯電粒子を有し前記着色帯電粒子が厚み方向に移動することにより前記潜像に対応
する画像を表示する電子ペーパーを、搬送する搬送部材と、
複数の前記像担持体のうちの第一像担持体と該第一像担持体に対向する第一対向部材と
の間に形成された第一間隙に、前記電子ペーパーが位置する際に、前記第一間隙に前記厚
み方向に沿う電界を発生させて、前記着色帯電粒子を前記厚み方向に移動させ、かつ、
複数の前記像担持体のうち、前記第一像担持体の電荷保持層よりも膜厚の大きい電荷保
持層を有する第二像担持体と、該第二像担持体に対向する第二対向部材と、の間に形成さ
れた第二間隙に、前記電子ペーパーが位置する際に、前記第一間隙に発生する電界よりも
大きな前記電界を前記第二間隙に発生させて、前記着色帯電粒子を前記厚み方向に移動さ
せる電界発生部と、
前記電子ペーパーを前記搬送部材に搬送させて、前記電子ペーパーの互いに異なる部位
を前記第一間隙に順次送り込む第一送り込み処理と、
前記電子ペーパーを前記搬送部材にさらに搬送させて、前記第一間隙を一旦抜けた前記
部位を前記第二間隙に順次送り込む第二送り込み処理と、
前記電界発生部に前記着色帯電粒子を移動させることにより、前記第一間隙及び前記第
二間隙に送り込まれた前記部位に、前記潜像中の第一潜像部に対応する第一画像部を順次
表示させる処理を、前記第一送り込み処理及び前記第二送り込み処理の双方の際に行い、
かつ、
前記電界発生部に前記着色帯電粒子を移動させることにより、前記第一間隙に送り込ま
れた前記部位に、前記潜像中の第二潜像部に対応する第二画像部を順次表示させる処理を
、前記第一送り込み処理の際に行なう、又は、前記電界発生部に前記着色帯電粒子を移動
させることにより、前記第二間隙に送り込まれた前記部位に、前記潜像中の第二潜像部に
対応する第二画像部を順次表示させる処理を、前記第二送り込み処理の際に行なうことに
より、
前記第二画像部と該第二画像部の階調値よりも高い階調値を有する前記第一画像部とを
備える前記画像を、前記電子ペーパーに表示させる画像記録処理と、
を実行するコントローラーと、を有することを特徴とする電子ペーパーへの画像記録装
置。
【請求項２】
請求項１に記載の電子ペーパーへの画像記録装置において、
前記コントローラーは、
前記電界発生部に前記着色帯電粒子を移動させることにより、前記第一間隙及び前記第
二間隙に送り込まれた前記部位に、前記潜像中の第一潜像部に対応する第一画像部を順次
表示させる処理を、前記第一送り込み処理及び前記第二送り込み処理の双方の際に行い、
前記電界発生部に前記着色帯電粒子を移動させることにより、前記第一間隙に送り込ま
れた前記部位に、前記潜像中の第二潜像部に対応する第二画像部を順次表示させる処理を
、前記第一送り込み処理の際に行い、
前記電界発生部に前記着色帯電粒子を移動させることにより、前記第二間隙に送り込ま
れた前記部位に、前記潜像中の第三潜像部に対応する第三画像部を順次表示させる処理を
、前記第二送り込み処理の際に行い、
前記第二画像部と該第二画像部の階調値よりも高い階調値を有する前記第一画像部と該
第二画像部の階調値よりも高く該第一画像部の階調値よりも低い階調値を有する第三画像
部とを備える前記画像を、前記電子ペーパーに表示させる画像記録処理を実行することを
特徴とする電子ペーパーへの画像記録装置。
【請求項３】
請求項２に記載の電子ペーパーへの画像記録装置において、
前記電界発生部は、前記対向部材に電圧を印加することにより、前記間に前記電界を発
生させ、
前記コントローラーは、前記電圧を調整することにより、前記第二間隙に発生する前記
電界の大きさを、前記第一間隙に発生する前記電界の大きさよりも大きくすることを特徴
とする電子ペーパーへの画像記録装置。
【請求項４】
請求項３に記載の電子ペーパーへの画像記録装置において、
前記電圧は、直流電圧に交流電圧を重畳した重畳電圧であり、
前記コントローラーは、前記直流電圧の値を調整することにより、前記第二間隙に発生
する前記電界の大きさを、前記第一間隙に発生する前記電界の大きさよりも大きくするこ
とを特徴とする電子ペーパーへの画像記録装置。
【請求項５】
請求項３に記載の電子ペーパーへの画像記録装置において、
前記電圧は、直流電圧に交流電圧を重畳した重畳電圧であり、
前記コントローラーは、前記交流電圧のデューティー比を調整することにより、前記第
二間隙に発生する前記電界の大きさを、前記第一間隙に発生する前記電界の大きさよりも
大きくすることを特徴とする電子ペーパーへの画像記録装置。
【請求項６】
潜像を担持するための電荷を保持する電荷保持層を有する複数の像担持体と、
前記像担持体ごとに対向する複数の対向部材と、
着色帯電粒子を有し前記着色帯電粒子が厚み方向に移動することにより前記潜像に対応
する画像を表示する電子ペーパーを、搬送する搬送部材と、
複数の前記像担持体のうちの第一像担持体と該第一像担持体に対向する第一対向部材と
の間に形成された第一間隙に、前記電子ペーパーが位置する際に、前記第一間隙に前記厚
み方向に沿う電界を発生させて、前記着色帯電粒子を前記厚み方向に移動させ、かつ、
複数の前記像担持体のうち、前記第一像担持体の電荷保持層よりも膜厚の大きい電荷保
持層を有する第二像担持体と、該第二像担持体に対向する第二対向部材と、の間に形成さ
れた第二間隙に、前記電子ペーパーが位置する際に、前記第一間隙に発生する電界よりも
大きな前記電界を前記第二間隙に発生させて、前記着色帯電粒子を前記厚み方向に移動さ
せる電界発生部と、を備える電子ペーパーへの画像記録装置を準備することと、
前記電子ペーパーを前記搬送部材に搬送させて、前記電子ペーパーの互いに異なる部位
を前記第一間隙に順次送り込む第一送り込み処理と、
前記電子ペーパーを前記搬送部材にさらに搬送させて、前記第一間隙を一旦抜けた前記
部位を前記第二間隙に順次送り込む第二送り込み処理と、
前記電界発生部に前記着色帯電粒子を移動させることにより、前記第一間隙及び前記第
二間隙に送り込まれた前記部位に、前記潜像中の第一潜像部に対応する第一画像部を順次
表示させる処理を、前記第一送り込み処理及び前記第二送り込み処理の双方の際に行い、
かつ、
前記電界発生部に前記着色帯電粒子を移動させることにより、前記第一間隙に送り込ま
れた前記部位に、前記潜像中の第二潜像部に対応する第二画像部を順次表示させる処理を
、前記第一送り込み処理の際に行なう、又は、前記電界発生部に前記着色帯電粒子を移動
させることにより、前記第二間隙に送り込まれた前記部位に、前記潜像中の第二潜像部に
対応する第二画像部を順次表示させる処理を、前記第二送り込み処理の際に行なうことに
より、
前記第二画像部と該第二画像部の階調値よりも高い階調値を有する前記第一画像部とを
備える前記画像を、前記電子ペーパーに表示させる画像記録処理と、
を実行することと、
を有することを特徴とする電子ペーパーへの画像記録方法。
【発明の詳細な説明】
【技術分野】
【０００１】
本発明は、電子ペーパーへの画像記録装置及び画像記録方法に関する。
【背景技術】
【０００２】
帯電された着色粒子の位置を制御することによって画像を表示する電子ペーパーに、電
圧を印加することによって画像を記録する電子ペーパー画像記録装置がある（例えば、特
許文献１）。
【先行技術文献】
【特許文献】
【０００３】
【特許文献１】特開２００９−２５１０４８号公報
【発明の概要】
【発明が解決しようとする課題】
【０００４】
このような電子ペーパー画像記録装置により、電子ペーパーに画像を記録することがで
きるが、電子ペーパーに記録される画像の濃淡は、例えば白黒画像のように、２階調によ
り表現されていた。
【０００５】
そこで本発明は、電子ペーパーに記録される画像の濃淡を多段階の階調により表現し、
画質を向上させることを目的とする。
【課題を解決するための手段】
【０００６】
上記課題を解決するための主たる発明は、
潜像を担持するための電荷を保持する電荷保持層を有する複数の像担持体と、
前記像担持体ごとに対向する複数の対向部材と、
着色帯電粒子を有し前記着色帯電粒子が厚み方向に移動することにより前記潜像に対応
する画像を表示する電子ペーパーを、搬送する搬送部材と、
複数の前記像担持体のうちの第一像担持体と該第一像担持体に対向する第一対向部材と
の間に形成された第一間隙に、前記電子ペーパーが位置する際に、前記第一間隙に前記厚
み方向に沿う電界を発生させて、前記着色帯電粒子を前記厚み方向に移動させ、かつ、
複数の前記像担持体のうち、前記第一像担持体の電荷保持層よりも膜厚の大きい電荷保
持層を有する第二像担持体と、該第二像担持体に対向する第二対向部材と、の間に形成さ
れた第二間隙に、前記電子ペーパーが位置する際に、前記第一間隙に発生する電界よりも
大きな前記電界を前記第二間隙に発生させて、前記着色帯電粒子を前記厚み方向に移動さ
せる電界発生部と、
前記電子ペーパーを前記搬送部材に搬送させて、前記電子ペーパーの互いに異なる部位
を前記第一間隙に順次送り込む第一送り込み処理と、
前記電子ペーパーを前記搬送部材にさらに搬送させて、前記第一間隙を一旦抜けた前記
部位を前記第二間隙に順次送り込む第二送り込み処理と、
前記電界発生部に前記着色帯電粒子を移動させることにより、前記第一間隙及び前記第
二間隙に送り込まれた前記部位に、前記潜像中の第一潜像部に対応する第一画像部を順次
表示させる処理を、前記第一送り込み処理及び前記第二送り込み処理の双方の際に行い、
かつ、
前記電界発生部に前記着色帯電粒子を移動させることにより、前記第一間隙に送り込ま
れた前記部位に、前記潜像中の第二潜像部に対応する第二画像部を順次表示させる処理を
、前記第一送り込み処理の際に行なう、又は、前記電界発生部に前記着色帯電粒子を移動
させることにより、前記第二間隙に送り込まれた前記部位に、前記潜像中の第二潜像部に
対応する第二画像部を順次表示させる処理を、前記第二送り込み処理の際に行なうことに
より、
前記第二画像部と該第二画像部の階調値よりも高い階調値を有する前記第一画像部とを
備える前記画像を、前記電子ペーパーに表示させる画像記録処理と、
を実行するコントローラーと、を有することを特徴とする電子ペーパーへの画像記録装
置である。
本発明の他の特徴については、本明細書及び添付図面の記載により明らかにする。
【図面の簡単な説明】
【０００７】
【図１】電子ペーパー１００の構成を模式的に示す断面図である。
【図２】電子ペーパー１００の画像部位及び非画像部位における着色帯電粒子の様子を示した模式図である。
【図３】電子ペーパーへの画像記録装置１の構成を示す概略図である。
【図４】電子ペーパーへの画像記録装置１の構成を示すブロック図である。
【図５】図５は、階調データの構成例を説明する図である。
【図６】図６は、図５の階調データを用いた際の画像構成例を示した図である。
【図７】感光体２０及び対向ローラー５２の電圧を、第一送り込み処理の際と第二送り込み処理の際とに分けて示した図である。
【図８】感光体２０及び対向ローラー５２の電圧の他の例を、第一送り込み処理の際と第二送り込み処理の際とに分けて示した図である。
【図９】感光体２０及び対向ローラー５２の電圧の他の例を、第一送り込み処理の際と第二送り込み処理の際とに分けて示した図である。
【図１０】感光体２０及び対向ローラー５２の電圧の他の例を、第一送り込み処理の際と第二送り込み処理の際とに分けて示した図である。
【発明を実施するための形態】
【０００８】
本明細書及び添付図面の記載により、少なくとも以下の事項が明らかとなる。
即ち、潜像を担持するための電荷を保持する電荷保持層を有する複数の像担持体と、
前記像担持体ごとに対向する複数の対向部材と、
着色帯電粒子を有し前記着色帯電粒子が厚み方向に移動することにより前記潜像に対応
する画像を表示する電子ペーパーを、搬送する搬送部材と、
複数の前記像担持体のうちの第一像担持体と該第一像担持体に対向する第一対向部材と
の間に形成された第一間隙に、前記電子ペーパーが位置する際に、前記第一間隙に前記厚
み方向に沿う電界を発生させて、前記着色帯電粒子を前記厚み方向に移動させ、かつ、
複数の前記像担持体のうち、前記第一像担持体の電荷保持層よりも膜厚の大きい電荷保
持層を有する第二像担持体と、該第二像担持体に対向する第二対向部材と、の間に形成さ
れた第二間隙に、前記電子ペーパーが位置する際に、前記第一間隙に発生する電界よりも
大きな前記電界を前記第二間隙に発生させて、前記着色帯電粒子を前記厚み方向に移動さ
せる電界発生部と、
前記電子ペーパーを前記搬送部材に搬送させて、前記電子ペーパーの互いに異なる部位
を前記第一間隙に順次送り込む第一送り込み処理と、
前記電子ペーパーを前記搬送部材にさらに搬送させて、前記第一間隙を一旦抜けた前記
部位を前記第二間隙に順次送り込む第二送り込み処理と、
前記電界発生部に前記着色帯電粒子を移動させることにより、前記第一間隙及び前記第
二間隙に送り込まれた前記部位に、前記潜像中の第一潜像部に対応する第一画像部を順次
表示させる処理を、前記第一送り込み処理及び前記第二送り込み処理の双方の際に行い、
かつ、
前記電界発生部に前記着色帯電粒子を移動させることにより、前記第一間隙に送り込ま
れた前記部位に、前記潜像中の第二潜像部に対応する第二画像部を順次表示させる処理を
、前記第一送り込み処理の際に行なう、又は、前記電界発生部に前記着色帯電粒子を移動
させることにより、前記第二間隙に送り込まれた前記部位に、前記潜像中の第二潜像部に
対応する第二画像部を順次表示させる処理を、前記第二送り込み処理の際に行なうことに
より、
前記第二画像部と該第二画像部の階調値よりも高い階調値を有する前記第一画像部とを
備える前記画像を、前記電子ペーパーに表示させる画像記録処理と、
を実行するコントローラーと、を有することを特徴とする電子ペーパーへの画像記録装
置である。
このような電子ペーパーへの画像記録装置によれば、電子ペーパーに記録される画像の
濃淡を多段階の階調により表現し、画質を向上させることができる。
【０００９】
また、かかる電子ペーパーへの画像記録装置であって、
前記コントローラーは、
前記電界発生部に前記着色帯電粒子を移動させることにより、前記第一間隙及び前記第
二間隙に送り込まれた前記部位に、前記潜像中の第一潜像部に対応する第一画像部を順次
表示させる処理を、前記第一送り込み処理及び前記第二送り込み処理の双方の際に行い、
前記電界発生部に前記着色帯電粒子を移動させることにより、前記第一間隙に送り込ま
れた前記部位に、前記潜像中の第二潜像部に対応する第二画像部を順次表示させる処理を
、前記第一送り込み処理の際に行い、
前記電界発生部に前記着色帯電粒子を移動させることにより、前記第二間隙に送り込ま
れた前記部位に、前記潜像中の第三潜像部に対応する第三画像部を順次表示させる処理を
、前記第二送り込み処理の際に行い、
前記第二画像部と該第二画像部の階調値よりも高い階調値を有する前記第一画像部と該
第二画像部の階調値よりも高く該第一画像部の階調値よりも低い階調値を有する第三画像
部とを備える前記画像を、前記電子ペーパーに表示させる画像記録処理を実行することと
してもよい。
このような電子ペーパーへの画像記録装置によれば、電子ペーパーに記録される画像の
濃淡をさらに多段階の階調により表現することができる。
【００１０】
また、かかる電子ペーパーへの画像記録装置であって、
前記電界発生部は、前記対向部材に電圧を印加することにより、前記間に前記電界を発
生させ、
前記コントローラーは、前記電圧を調整することにより、前記第二間隙に発生する前記
電界の大きさを、前記第一間隙に発生する前記電界の大きさよりも大きくすることとして
もよい。
このような電子ペーパーへの画像記録装置によれば、電子ペーパーに記録される画像の
濃淡をさらに多段階の階調により表現することができる。
【００１１】
また、かかる電子ペーパーへの画像記録装置であって、
前記電圧は、直流電圧に交流電圧を重畳した重畳電圧であり、
前記コントローラーは、前記直流電圧の値を調整することにより、前記第二間隙に発生
する前記電界の大きさを、前記第一間隙に発生する前記電界の大きさよりも大きくするこ
ととしてもよい。
このような電子ペーパーへの画像記録装置によれば、電子ペーパーに記録される画像の
濃淡をさらに多段階の階調により表現することができる。
【００１２】
また、かかる電子ペーパーへの画像記録装置であって、
前記電圧は、直流電圧に交流電圧を重畳した重畳電圧であり、
前記コントローラーは、前記交流電圧のデューティー比を調整することにより、前記第
二間隙に発生する前記電界の大きさを、前記第一間隙に発生する前記電界の大きさよりも
大きくすることとしてもよい。
このような電子ペーパーへの画像記録装置によれば、電子ペーパーに記録される画像の
濃淡をさらに多段階の階調により表現することができる。
【００１３】
また、潜像を担持するための電荷を保持する電荷保持層を有する複数の像担持体と、
前記像担持体ごとに対向する複数の対向部材と、
着色帯電粒子を有し前記着色帯電粒子が厚み方向に移動することにより前記潜像に対応
する画像を表示する電子ペーパーを、搬送する搬送部材と、
複数の前記像担持体のうちの第一像担持体と該第一像担持体に対向する第一対向部材と
の間に形成された第一間隙に、前記電子ペーパーが位置する際に、前記第一間隙に前記厚
み方向に沿う電界を発生させて、前記着色帯電粒子を前記厚み方向に移動させ、かつ、
複数の前記像担持体のうち、前記第一像担持体の電荷保持層よりも膜厚の大きい電荷保
持層を有する第二像担持体と、該第二像担持体に対向する第二対向部材と、の間に形成さ
れた第二間隙に、前記電子ペーパーが位置する際に、前記第一間隙に発生する電界よりも
大きな前記電界を前記第二間隙に発生させて、前記着色帯電粒子を前記厚み方向に移動さ
せる電界発生部と、を備える電子ペーパーへの画像記録装置を準備することと、
前記電子ペーパーを前記搬送部材に搬送させて、前記電子ペーパーの互いに異なる部位
を前記第一間隙に順次送り込む第一送り込み処理と、
前記電子ペーパーを前記搬送部材にさらに搬送させて、前記第一間隙を一旦抜けた前記
部位を前記第二間隙に順次送り込む第二送り込み処理と、
前記電界発生部に前記着色帯電粒子を移動させることにより、前記第一間隙及び前記第
二間隙に送り込まれた前記部位に、前記潜像中の第一潜像部に対応する第一画像部を順次
表示させる処理を、前記第一送り込み処理及び前記第二送り込み処理の双方の際に行い、
かつ、
前記電界発生部に前記着色帯電粒子を移動させることにより、前記第一間隙に送り込ま
れた前記部位に、前記潜像中の第二潜像部に対応する第二画像部を順次表示させる処理を
、前記第一送り込み処理の際に行なう、又は、前記電界発生部に前記着色帯電粒子を移動
させることにより、前記第二間隙に送り込まれた前記部位に、前記潜像中の第二潜像部に
対応する第二画像部を順次表示させる処理を、前記第二送り込み処理の際に行なうことに
より、
前記第二画像部と該第二画像部の階調値よりも高い階調値を有する前記第一画像部とを
備える前記画像を、前記電子ペーパーに表示させる画像記録処理と、
を実行することと、
を有することを特徴とする電子ペーパーへの画像記録方法である。
このような電子ペーパーへの画像記録方法によれば、電子ペーパーに記録される画像の
濃淡を多段階の階調により表現し、画質を向上させることができる。
【００１４】
＝＝＝第１実施形態＝＝＝
以下の第１実施形態では、電子ペーパー１００に画像を記録する画像記録装置１の構成
例について説明する。
【００１５】
先ず、画像記録装置１の説明に先立って、電子ペーパー１００の構成について説明する
。そして、これに引き続いて、画像記録装置１の構成について説明する。
【００１６】
＜＜＜電子ペーパー１００の構成例について＞＞＞
電子ペーパー１００の構成例について、図１及び図２を用いて説明する。図１は、電子
ペーパー１００の構成を模式的に示す断面図である。図２は、電子ペーパー１００の画像
部位及び非画像部位における着色荷電粒子の様子を示した模式図である。
【００１７】
電子ペーパー１００は、着色帯電粒子を有し、該着色帯電粒子が厚み方向に移動するこ
とにより画像を表示するものである。換言すれば、電子ペーパー１００は、着色された電
気泳動粒子の電気泳動を利用して画像の表示を行う。
【００１８】
図１に示すように、本実施の形態に係る電子ペーパー１００は、表示層１０３と、表示
層１０３の上面に設けられた上側絶縁層１４１と、表示層１０３の下面に設けられた下側
絶縁層１４２と、封止部１０７と、を備えている。
【００１９】
電子ペーパー１００では、上側絶縁層１４１が表示面１２１を構成しており、上側絶縁
層１４１を介して表示層１０３が視認されることにより、画像を認識することができるよ
うになっている。また、電子ペーパー１００は、可撓性を有するもの、有さないもののい
ずれであってもよいが、本実施の形態に係る電子ペーパー１００は、可撓性を有している
。
【００２０】
表示層１０３は、着色帯電粒子の一例としての正帯電白色粒子及び負帯電黒色粒子の収
容部であるマイクロカプセル１３１とバインダ１３２とを有しており、複数のマイクロカ
プセル１３１がバインダ１３２で固定（保持）されることにより構成されている。また、
複数のマイクロカプセル１３１は、上側絶縁層１４１と下側絶縁層１４２との間に、縦横
に並列するように単層で（厚さ方向に重なることなく１個ずつ）配設されている。
【００２１】
各マイクロカプセル１３１は、殻体であるカプセル本体１３３を有しており、その内部
（内部空間）には、電気泳動分散液が充填（封入）されている。カプセル本体１３３内に
充填された電気泳動分散液は、正帯電白色粒子と負帯電黒色粒子とを液相分散媒に分散（
懸濁）してなるものである。正帯電白色粒子及び負帯電黒色粒子の液相分散媒への分散に
ついては、ペイントシェーカー法、ボールミル法、メディアミル法、超音波分散法、攪拌
分散法等のうちの１種または２種以上を組み合わせて行なうことができる。
【００２２】
正帯電白色粒子は、正に帯電する白色の電気泳動粒子であり、負帯電黒色粒子は、負に
帯電する黒色の電気泳動粒子である。このように、正帯電白色粒子と負帯電黒色粒子とを
用いることにより、電子ペーパー１００における白黒表示が可能となる。
【００２３】
なお、本実施の形態においては、負帯電黒色粒子の帯電量と比べて、正帯電白色粒子の
帯電量が小さくなっている（正帯電白色粒子は微帯電している）。
【００２４】
正帯電白色粒子及び負帯電黒色粒子には、それぞれ、電荷を有するものであれば、いか
なるものをも用いることができ、特に限定はされないが、顔料粒子、樹脂粒子またはこれ
らの複合粒子のうちの少なくとも１種が好適に使用される。
【００２５】
顔料粒子を構成する顔料としては、例えば、アニリンブラック、カーボンブラック、チ
タンブラック等の黒色顔料、酸化チタン、酸化アンチモン等の白色顔料等が挙げられ、こ
れらのうちの１種または２種以上を組み合わせて用いることができる。このうち、チタン
ブラックが負帯電黒色粒子として、酸化チタンが正帯電白色粒子として、好適に用いられ
る（本実施の形態においても、これらが用いられている）。
【００２６】
また、樹脂粒子を構成する樹脂材料としては、例えば、アクリル系樹脂、ウレタン系樹
脂、尿素系樹脂、エポキシ系樹脂、ポリスチレン、ポリエステル等が挙げられ、これらの
うちの１種または２種以上を組み合わせて用いることができる。
【００２７】
また、複合粒子としては、例えば、顔料粒子の表面を樹脂材料や他の顔料で被覆したも
の、樹脂粒子の表面を顔料で被覆したもの、顔料と樹脂材料とを適当な組成比で混合した
混合物で構成される粒子等が挙げられる。顔料粒子の表面を他の顔料で被覆した粒子とし
ては、例えば、酸化チタン粒子の表面を、酸化珪素や酸化アルミニウムで被覆したものを
例示することができる。
【００２８】
正帯電白色粒子及び負帯電黒色粒子については、液相分散媒中での分散性を考慮した場
合、より小さいものが好適に用いられる。具体的には、その平均粒径が、１０〜５００ｎ
ｍ程度であるのが好ましく、２０〜３００ｎｍ程度であるのがより好ましい。正帯電白色
粒子及び負帯電黒色粒子の平均粒径を前記範囲とすることにより、正帯電白色粒子と負帯
電黒色粒子の凝集や、正帯電白色粒子や負帯電黒色粒子の沈降を防止することができ、正
帯電白色粒子及び負帯電黒色粒子を液相分散媒中に分散させた状態を維持することができ
る。
【００２９】
そして、このような正帯電白色粒子及び負帯電黒色粒子がマイクロカプセル１３１内で
電子ペーパー１００の厚み方向に移動することにより、画像が表示されることとなる。
【００３０】
すなわち、詳細については後述するが、当該電子ペーパー１００における画像を表示さ
せたい部位（つまり、黒画像部）においては、負帯電黒色粒子が前記厚み方向における上
側絶縁層１４１（表示面１２１）側に、正帯電白色粒子が下側絶縁層１４２側に、それぞ
れ移動し（図２の左図参照）、画像を表示させたくない部位（つまり、白画像部（白背景
部））においては、正帯電白色粒子が前記厚み方向における上側絶縁層１４１（表示面１
２１）側に、負帯電黒色粒子が下側絶縁層１４２側に、それぞれ移動するように（図２の
右図参照）、粒子の移動が制御されることにより、電子ペーパー１００における白黒表示
が成される。そして、この粒子の移動制御は、前記画像記録装置１が、前記厚み方向に沿
う電界を発生させ、前者の部位においては電界の向きが下向き（上側絶縁層１４１から下
側絶縁層１４２へ向かう向き）となり（図２の左図参照）、後者の部位においては電界の
向きが上向き（下側絶縁層１４２から上側絶縁層１４１へ向かう向き）となるように（図
２の右図参照）、電界の向きを制御することによって実現されることとなる。
【００３１】
なお、正帯電白色粒子及び負帯電黒色粒子の比重は、それぞれ、液相分散媒の比重とほ
ぼ等しくなるように設定されているのが好ましい。これにより、正帯電白色粒子及び負帯
電黒色粒子は、電界の作用を受けた後においても、液相分散媒中において一定の位置に長
時間滞留することができる。
【００３２】
バインダ１３２は、例えば、上側絶縁層１４１と下側絶縁層１４２とを接合する目的、
上側絶縁層１４１と下側絶縁層１４２との間に各マイクロカプセル１３１を固定する目的
等により供給される。このバインダ１３２には、上側絶縁層１４１、下側絶縁層１４２お
よびカプセル本体１３３との親和性（密着性）に優れ、かつ、絶縁性に優れる樹脂材料が
好適に使用される。
【００３３】
表示層１０３を間に挟むように対向配置された上側絶縁層１４１及び下側絶縁層１４２
は、それぞれ、絶縁性を有するシート状（平板状）の部材で構成されている。このような
上側絶縁層１４１及び下側絶縁層１４２は、表示層１０３（マイクロカプセル１３１）を
保護する機能を有している。
【００３４】
上側絶縁層１４１は、表示面１２１を構成するために光透過性を有するもの、すなわち
、実質的に透明（無色透明、有色透明または半透明）とされる。これにより、表示面１２
１側から、表示層１０３の状態（各マイクロカプセル１３１中の正帯電白色粒子及び負帯
電黒色粒子の状態）、すなわち電子ペーパー１００に表示された画像（情報）を目視によ
り認識することができる。一方、下側絶縁層１４２については、上側絶縁層１４１のよう
な光透過性の有無は問わない（本実施の形態においては、下側絶縁層１４２は実質的に不
透明となっている）。
【００３５】
封止部１０７は、電子ペーパー１００内への水分の浸入を防止して、電子ペーパー１０
０の表示性能の劣化を抑えるためのものである。封止部１０７は、上側絶縁層１４１と下
側絶縁層１４２との間に、それらの縁部に沿うようにして設けられている。そして、この
封止部１０７により、表示層１０３が気密的に封止されている。
【００３６】
＜＜＜画像記録装置１の構成例について＞＞＞
次に、画像記録装置１の構成例について、図３及び図４を用いて説明する。図３は、画
像記録装置１の概略断面図である。図４は、画像記録装置１のブロック図である。
【００３７】
本実施の形態に係る画像記録装置１は、図３に示すように、潜像を担持する像担持体の
一例としての感光体２０の回転方向に沿って、帯電ユニット３０、露光ユニット４０、電
界生成ユニット５０（対向部材の一例としての対向ローラー５２を含む）、を有し、さら
に、搬送部材の一例としての搬送ユニット６０、及び、これらのユニット等を制御し画像
記録装置１としての動作を司るコントローラー８０、を有している。
【００３８】
感光体２０は、金属製の円筒状の導電性基材と、その外周面に形成され静電気を保持す
るための樹脂製の感光層（薄膜）とを有している。
【００３９】
また、感光層は電荷を保持する電荷保持層として機能する。すなわち、後述する帯電ロ
ーラー３０に電圧を印加することにより電荷（Ｑ）が発生し、発生した電荷（Ｑ）が感光
体２０と帯電ローラー３０との電位差によって感光体側へ移動することにより、感光体２
０を均一の電荷に帯電させる（Ｑは一定）。これによって、感光層に電荷が保持されるこ
とになる。感光体２０は、この電界保持層に電荷を保持することにより、潜像を担持する
ことができる。
【００４０】
ここで、感光層の膜厚（ｄ）が大きくなると、単位面積当たりに保持される電荷の量（
静電容量（Ｃ））は小さくなる。そして、上述のとおりＱが一定であるから、Ｑ＝ＣＶｏ
の関係により、電荷の量（静電容量（Ｃ））が小さくなると、帯電電圧Ｖｏは大きくなる
。本実施形態においては、２つの感光体２０ａ、２０ｂが画像記録装置１に設けられてお
り、感光体２０ｂが有する感光層の膜厚は、感光体２０ａが有する感光層の膜厚よりも大
きく設定されている。このため、感光体２０ｂの帯電電圧Ｖｏは感光体２０ａの帯電電圧
Ｖｏよりも大きく設定されることになる。
【００４１】
また、感光体２０ａ、２０ｂは、中心軸を中心に回転可能に構成されており、図３中の
矢印で示すように、それぞれ時計回りに回転する。
【００４２】
帯電ユニット３０は、感光体２０を帯電させるためのものである。本実施の形態におい
ては、この帯電ユニット３０は、感光体２０ａ、２０ｂにそれぞれ対応した帯電ローラー
３０ａ、３０ｂを有している。本実施形態においては、帯電ローラー３０ａが感光体２０
ａを５５０ボルトに帯電させ、帯電ローラー３０ｂが感光体２０ｂを８００ボルトに帯電
させるようになっている。感光体２０ｂが有する感光層の膜厚は、感光体２０ａが有する
感光層の膜厚よりも大きく設定されているため、感光体２０ｂの帯電電圧Ｖｏ（８００ボ
ルト）は、感光体２０ａの帯電電圧Ｖｏ（５５０ボルト）よりも大きくなる。
【００４３】
露光ユニット４０は、レーザーを照射することによって帯電された感光体２０ａ、２０
ｂ上に潜像を形成するものである。画像記録装置１には、感光体２０ａ、２０ｂにそれぞ
れ対応した２つの露光ユニット４０ａ、４０ｂが設けられている。この露光ユニット４０
は、半導体レーザー、ポリゴンミラー、Ｆ−θレンズ等を有しており、パーソナルコンピ
ューター、ワードプロセッサ等の不図示のホストコンピューターから入力された画像信号
に基づいて、変調されたレーザーを帯電された感光体２０ａ、２０ｂ上に照射する。本実
施の形態においては、潜像部及び背景部のうち、背景部に相当する部分にレーザーが照射
される（本項においては、電子ペーパー１００における前記黒画像部に対応する感光体２
０ａ、２０ｂ上の部分を潜像部と、前記白画像部に対応する感光体２０ａ、２０ｂ上の部
分を背景部と、それぞれ呼んでいる）。そして、感光体２０ａ上のレーザーが照射された
部分の電位が５５０ボルトから５０ボルトとなる（５０ボルトの背景部と５５０ボルトの
画像部が得られる）。また、感光体２０ｂ上のレーザーが照射された部分の電位が８００
ボルトから５０ボルトとなる（５０ボルトの背景部と８００ボルトの画像部が得られる）
。
【００４４】
電界生成ユニット５０は、電子ペーパー１００の厚み方向に電界を発生させて、当該電
子ペーパー１００の正帯電白色粒子及び負帯電黒色粒子を厚み方向に移動させるためのも
のである。本実施の形態においては、感光体２０ａ、２０ｂにそれぞれ対応した２つの電
界生成ユニット５０ａ、５０ｂが画像記録装置１に設けられている。この電界生成ユニッ
ト５０ａ、５０ｂは、それぞれ対向ローラー５２ａ、５２ｂと電界発生部５４（図４参照
）とを備えている。
【００４５】
対向ローラー５２ａ、５２ｂは、感光体２０ａ、２０ｂにそれぞれ対向する回転可能な
ローラーである。この対向ローラー５２ａは、電子ペーパー１００が感光体２０ａと対向
ローラー５２ａとの間（第一間隙）に位置する際に、感光体２０ａと協働して電子ペーパ
ー１００を挟んで圧接させつつ（すなわち、感光体２０ａと対向ローラー５２ａとはニッ
プ部にて電子ペーパー１００を挟んで圧接している）、感光体２０ａの回転に伴ってその
回転方向とは反対方向に回転する。同様に、対向ローラー５２ｂは、電子ペーパー１００
が感光体２０ｂと当該対向ローラー５２ｂとの間（第二間隙）に位置する際に、感光体２
０ｂと協働して電子ペーパー１００を挟んで圧接させつつ、感光体２０ｂの回転に伴って
その回転方向とは反対方向に回転する。対向ローラー５２ａ、５２ｂの、電子ペーパー１
００を介して感光体２０ａ、２０ｂと接触する接触部分は、ゴム製である。
【００４６】
電界発生部５４は、電子ペーパー１００が前記間に位置する際に、前記対向ローラー５
２ａ、５２ｂに電圧を印加する（すなわち、対向ローラー５２ａ、５２ｂは、被電圧印加
部としての機能を有する）。そして、このことにより、感光体２０ａと対向ローラー５２
ａとの間（第一間隙）、及び、感光体２０ｂと対向ローラー５２ｂとの間（第二間隙）に
、それぞれ電子ペーパー１００の厚み方向に沿う電界を発生させて、電子ペーパー１００
の正帯電白色粒子及び負帯電黒色粒子を厚み方向に移動させる。
【００４７】
搬送ユニット６０は、電子ペーパー１００を搬送するためのものである。この搬送ユニ
ット６０は、ペーパーカセット６２と、ペーパーカセット６２の上部に位置する給紙ロー
ラー６４と、給紙ローラー６４から見て、感光体２０側に位置する搬送ローラー６６と、
不図示の排紙ローラーと、を有している。給紙ローラー６４は、ペーパーカセット６２に
収容されている電子ペーパー１００を給紙するローラーである。搬送ローラー６６は、給
紙ローラー６４によって給紙された電子ペーパー１００を感光体２０ａと対向ローラー５
２ａとの間及び感光体２０ｂと対向ローラー５２ｂとの間に搬送するローラーである。排
紙ローラーは、画像が表示された電子ペーパー１００を電子ペーパーへの画像記録装置１
から排出するローラーである。これらのローラーは、不図示のモーターにより駆動される
。
【００４８】
コントローラー８０は、画像記録装置１の制御を行うための制御ユニット（制御部）で
ある。コントローラー８０は、インターフェイス部８１と、ＣＰＵ８２と、メモリー８３
と、ユニット制御回路８４と、を有する。
【００４９】
インターフェイス部８１は、外部装置である前記ホストコンピューターと画像記録装置
１との間でデータの送受信を行う。ＣＰＵ８２は、画像記録装置１全体の制御を行うため
の演算処理装置である。メモリー８３は、ＣＰＵ８２のプログラムを格納する領域や作業
領域等を確保するためのものであり、ＲＡＭ、ＥＥＰＲＯＭ等の記憶素子を有する。ＣＰ
Ｕ８２は、メモリー８３に格納されるプログラムに従って、ユニット制御回路８４を介し
て各ユニットを制御する。
【００５０】
＜＜＜電子ペーパーに表示される画像の階調表現について＞＞＞
ここで、電子ペーパーに表示される画像の階調表現について説明する。
コントローラー８０は、ホストコンピューターからの画像信号及び制御信号がインター
フェイス部８１を介して入力されると、感光体２０を回転させ、帯電ユニット３０により
回転する感光体２０を順次帯電させ、露光ユニット４０により感光体２０の帯電された領
域に潜像部を形成させる。つまり、感光体２０の帯電された領域のうち、露光された領域
は背景部となり、露光されなかった領域は潜像部になる。そして、コントローラー８０は
、回転する感光体２０上に形成された潜像部と背景部を、対向ローラー５２と対向する対
向位置に至らせ、感光体２０（感光体２０上の潜像部及び背景部）と対向ローラー５２と
の間に電子ペーパー１００が位置する状態で、電界発生部５４により該間に電子ペーパー
１００の厚み方向に沿う電界を発生させる。そうすると、発生した電界によってマイクロ
カプセル１３１内の正帯電白色粒子及び負帯電黒色粒子が電子ペーパー１００の厚み方向
に移動することにより、潜像部に対応する部位が黒画像部となり、背景部に対応する部位
が白画像部となって、電子ペーパー１００に２階調の白黒画像が表示される。
【００５１】
このように、従来は、電界が発生している領域（感光体２０と対向ローラー５２との間
）に電子ペーパー１００を１回送り込むことにより、マイクロカプセル１３１内で移動し
た負帯電黒色粒子を、そのマイクロカプセル１３１内の上部（図２の左図参照）又は下部
（図２の右図参照）のいずれかに選択的に位置させることによって、２階調の白黒画像と
するような方法が採られていた。
【００５２】
しかしながら、このような２階調の白黒画像では、充分に画像表現することができず、
例えば、模様等を電子ペーパーに表示する際には、物足りない画像となっていた。
【００５３】
これに対し、本実施の形態に係る画像記録装置１によれば、コントローラー８０の制御
により、電界が発生している領域（感光体２０と対向ローラー５２との間）に電子ペーパ
ー１００を送り込む回数に応じて、電子ペーパー１００の厚み方向における負帯電黒色粒
子の配置を段階的に変えることにより、黒色のみならず、グレー（薄いグレーや濃いグレ
ー）の部位を画像部に形成することができるようになるため、多段階の階調を有する画像
部を電子ペーパー１００に表示することができるようになる。
【００５４】
以下、電子ペーパー１００の画像部に多階調の画像を表示させるために行われる、画像
記録装置１の動作例を具体的に説明する。
【００５５】
＜＜＜画像記録装置の動作例について＞＞＞
画像記録装置１が薄いグレー、濃いグレー、黒色の画像を電子ペーパー１００の画像部
に記録する処理について、図２、図５及び図６を用いて説明する。図５は、電子ペーパー
１００に表示される画像の階調をコントローラー８０が制御するための階調データを説明
する図である。図６は、図５の階調データを用いた際に、電子ペーパーに表示される画像
部の構成例を示した図である。
【００５６】
コントローラー８０は、電子ペーパー１００に多階調の白黒画像を記録する処理を行う
際、画素ごとに設定された階調データを参照する。
階調データは、電子ペーパー１００に表示される白黒画像の階調をコントローラー８０
に制御させるためのデータである。
【００５７】
図５Ｂに示すように、この階調データは、２ビットにより構成されており、例えば、「
白」（２進数の値として「００」）、「薄いグレー」（同じく「０１」）、「濃いグレー
」（同じく「１０」）、「黒」（同じく「１１」）、を示すデータである。
【００５８】
たとえば、コントローラー８０は、この階調データを参照して、電子ペーパー１００の
画像部に薄いグレー画像が含まれていると判定した場合に（階調データが「０１」の場合
に）、第一送り込み処理の際に画像記録処理を行うことにより、電子ペーパー１００の当
該画像部に薄いグレー画像を表示させることができる。電子ペーパー１００の画像部に濃
いグレー画像が含まれていると判定した場合に（階調データが「１０」の場合に）、第二
送り込み処理の際に画像記録処理を行うことにより、電子ペーパー１００の当該画像部に
濃いグレー画像を表示させることができる。さらに、電子ペーパー１００の画像部に黒画
像部が含まれていると判定した場合には（階調データが「１１」の場合に）、第一送り込
み処理及び前記第二送り込み処理の双方の際に画像記録処理を行うことにより、電子ペー
パー１００の当該画像部に黒画像を表示させることができる。なお、第一送り込み処理及
び前記第二送り込み処理については後述する。
【００５９】
ホストコンピューターからの画像信号及び制御信号がインターフェイス部８１を介して
コントローラー８０に入力されると、ユニット制御回路８４の制御により、感光体２０ａ
が回転する。なお、ペーパーカセット６２には、画像が未表示（白背景部が表示されてい
る）の電子ペーパー１００が収容されている。
【００６０】
感光体２０ａ（第一像担持体）は、回転しながら、帯電位置において帯電ユニット３０
ａにより、順次帯電される。
【００６１】
感光体２０ａの帯電された領域は、感光体２０ａの回転に伴って露光位置に至る。コン
トローラー８０は階調データを参照して電子ペーパー１００の画像部に薄いグレーの部位
及び黒の部位が含まれると判定した場合には、露光ユニット４０ａによって第一潜像部及
び第二潜像部が該領域に形成される。この第一潜像部は、電子ペーパー１００に黒画像部
として表示される第一画像部に対応している。一方、第二潜像部は、電子ペーパー１００
に薄いグレー画像部として表示される第二画像部に対応している。従って、第一画像部（
黒画像部）は、第二画像部（薄グレー画像部）の階調値よりも高い階調値を有する画像部
となる。
【００６２】
すなわち、該領域が電子ペーパーに表示される第一画像部及び第二画像部に相当する部
分であれば、当該領域にレーザーが照射されず、背景部に相当する部分には、レーザーは
照射されることになる。
【００６３】
感光体２０ａ上に形成された第一潜像部及び第二潜像部は、感光体２０ａの回転に伴っ
て、対向ローラー５２ａと対向する対向位置に至る。一方で、コントローラー８０が第一
送り込み処理を行うと、電子ペーパー１００が、搬送ユニット６０により、感光体２０ａ
（第一潜像体）と対向ローラー５２ａ（第一対向部材）との間（第一間隙）に搬送される
。そして、電子ペーパー１００が該間に位置する状態で、電界発生部５４によって対向ロ
ーラー５２ａに電圧が印加され、該間に電子ペーパー１００の厚み方向に沿う電界が発生
する。この際、電界発生部５４は、第一潜像部と第二潜像部に対応する電子ペーパーの部
位において、下向きの電界が発生するように（図２の左図参照）対向ローラー５２ａに電
圧を印加する。一方、電界発生部５４は、背景部に対応する電子ペーパーの部位において
、上向きの電界が発生するように（図２の右図参照）対向ローラー５２ａに電圧を印加す
る。そして、このことにより、第一潜像部と第二潜像部に対応する電子ペーパーの部位に
薄いグレー画像がそれぞれ表示される。マイクロカプセル１３１内の下部に位置していた
負帯電黒色粒子が電界の作用を受けて上側（感光体側）へ移動し、電子ペーパー１００の
厚み方向における中央部（上部に至っていない位置）に配置されたためである。また、背
景部に対応する電子ペーパーの部位には、正帯電白色粒子が上側へ移動することにより、
白画像が表示される。
【００６４】
なお、図６（１）に示すように、第一潜像部に対応する電子ペーパーの部位に黒画像で
はなく薄いグレー画像が表示されるのは、電子ペーパー１００が該間を１回通過しただけ
では、マイクロカプセル１３１内の下部に位置していた負帯電着色粒子が、該間に発生し
ている電界の影響を受けて上側へ移動したとしても、マイクロカプセル１３１内の上部ま
で到達していないためである。従って、電子ペーパー１００が該間を１回通過時点では、
負帯電着色粒子が電子ペーパー１００の厚み方向において中間部に配置されるため、第一
潜像部に対応する電子ペーパーの部位に薄いグレー画像が表示されることになる。
【００６５】
このようにして、コントローラー８０は、搬送ユニット６０によって電子ペーパー１０
０をその先端部位から末端部位（電子ペーパー１００の互いに異なる部位）まで順次、感
光体２０ａと対向ローラー５２ａとの間に搬送させて、第一送り込み処理を完了させる。
そして、この第一送り込み処理の際に、第二潜像部に対応する第二画像部（薄グレー画像
部）を電子ペーパーに表示させる処理が行われることになる。一方で、この第一送り込み
処理の際に、第一潜像部に対応する第一画像部（黒画像部）を電子ペーパー１００に表示
させる処理も行われることになるが、第一画像部についての画像記録処理はまだ完成して
いないため、第二画像部の階調値と同じ薄いグレー画像が第一画像部に表示されることに
なる。
【００６６】
次に、第一送り込み処理の終了後、感光体２０ｂは、回転しながら、帯電位置において
帯電ユニット３０ｂにより、順次帯電される。感光体２０ｂが有する感光層の膜厚は感光
体２０ａが有する感光層の膜厚よりも大きいため、感光体２０ｂに帯電される電圧Ｖｏは
感光体２０ａに帯電される電圧Ｖｏよりも大きい。
【００６７】
感光体２０ｂの帯電された領域は、感光体２０ｂの回転に伴って露光位置に至る。コン
トローラー８０は階調データを参照して電子ペーパー１００の画像部に濃いグレーの部位
及び黒色の部位が含まれると判定した場合には、露光ユニット４０ｂによって第一潜像部
及び第三潜像部が該領域に形成される。この第一潜像部は、電子ペーパー１００に黒画像
部として表示される第一画像部に対応しており、露光ユニット４０ａによって感光体２０
ａの該領域に形成された潜像と同一のものである。一方、第三潜像部は、電子ペーパー１
００に濃いグレー画像部として表示される第三画像部に対応している。従って、第一画像
部（黒画像部）は、第三画像部（濃いグレー画像部）の階調値よりも高い階調値を有する
画像部となる。また、第三画像部（濃いグレー画像部）は、第二画像部（薄いグレー画像
部）の階調値よりも高い階調値を有する画像部となる。
【００６８】
すなわち、該領域が電子ペーパーに表示される第一画像部及び第三画像部に相当する部
分であれば、当該領域にレーザーが照射されず、背景部及び第二潜像部に相当する部分に
は、レーザーは照射されることになる。
【００６９】
感光体２０ｂ上に形成された第一潜像部及び第三潜像部は、感光体２０ｂの回転に伴っ
て、対向ローラー５２ｂと対向する対向位置に至る。一方で、コントローラー８０が第二
送り込み処理を行うと、感光体２０ａと対向ローラー５２ａとの間を一旦抜けた電子ペー
パー１００が、搬送ユニット６０により、感光体２０ｂ（第二潜像部）と対向ローラー５
２ｂ（第二対向部材）との間（第二間隙）に搬送される。そして、電子ペーパー１００が
第二間隙に位置する状態で、電界発生部５４によって対向ローラー５２ｂに電圧が印加さ
れ、第二間隙に電子ペーパー１００の厚み方向に沿う電界が発生する。この第二間隙に発
生する電界の大きさは、感光体２０ｂの感光層の膜厚が感光体２０ａの感光層の膜厚より
も大きいため、第一間隙に発生する電界の大きさよりも大きい。この際、電界発生部５４
は、第一潜像部及び第三潜像部に対応する電子ペーパーの部位において、下向きの電界が
発生するように（図２の左図参照）対向ローラー５２ｂに電圧を印加する。そして、この
ことにより、第一潜像部に対応する電子ペーパー１００の部位に黒画像（第一画像部）が
表示され、第三潜像部に対応する電子ペーパー１００の部位に濃いグレー画像（第三画像
部）が表示される（図６（２）参照）。
【００７０】
第一潜像部に対応する黒画像（第一画像部）が電子ペーパー１００に表示されるのは、
マイクロカプセル１３１内の負帯電黒色粒子が、第一送り込み処理の際（１回目）に弱い
電界の作用を受けて上側（感光体側）へ小幅移動して、上部と下部との間の中間部に留ま
り（この際、薄グレーが表示される）、第二送り込み処理の際（２回目）に強い電界の作
用を受けて中間部から上側（感光体側）へ大幅移動して、マイクロカプセル１３１内の上
部に配置されるためである（この際、黒画像が表示される）。
【００７１】
一方、第三潜像部に対応する濃いグレー像（第三画像部）が電子ペーパー１００に表示
されるのは、第二送り込み処理の際に第二間隙に発生する電界の大きさが、第一送り込み
処理の際に第一間隙に発生する電界の大きさよりも大きいため、マイクロカプセル１３１
内の負帯電黒色粒子の移動量が、第一送り込み処理の際と比べて第二送り込み処理の際の
方が大きくなるからである。すなわち、マイクロカプセル１３１内の負帯電黒色粒子が、
上側（感光体側）により近づくことになるからである。（図２の左図参照）。
【００７２】
なお、電界発生部５４は、第二潜像部及び背景部に対応する電子ペーパーの部位におい
ては、第二画像部（薄グレー画像部）及び背景画像（白画像部）の記録が保持されるよう
に、対向ローラー５２ｂに電圧を印加する。すわなち、第二潜像部及び背景部に対応する
電子ペーパーの部位においては、感光体２０ｂと対向ローラー５２ｂとの間に電界が発生
しないようにする。
【００７３】
このようにして、コントローラー８０は、搬送ユニット６０によって電子ペーパー１０
０をその先端部位から末端部位（電子ペーパー１００の互いに異なる部位）まで順次、感
光体２０ｂと対向ローラー５２ｂとの間に搬送させて、第二送り込み処理を完了させる。
そして、この第二送り込み処理の際にも、第一潜像部に対応する第一画像部を電子ペーパ
ー１００に表示させる処理が行われ、この第一画像部は薄いグレー画像から黒画像になる
。また、この第二送り込み処理の際に、第三潜像部に対応する第三画像部を電子ペーパー
１００に表示させる処理が行われ、この第三画像部は濃いグレー画像になる。一方、第二
潜像部に対応する電子ペーパー１００の部位は、第二画像部（薄いグレー画像部）が記録
保持され、背景部に対応する電子ペーパー１００の部位には背景画像が記録保持される。
【００７４】
以上により、第二画像部（薄いグレー画像部）と、第二画像部の階調値よりも高い階調
値を有する第一画像部（黒画像部）と、第二画像部の階調値よりも高く第一画像部の階調
値よりも低い階調値を有する第三画像部（濃いグレー画像部）とを備える画像が、電子ペ
ーパー１００に表示されるようになり、コントローラー８０による画像記録処理が完了す
る（図６（３）参照）。
【００７５】
このように、画像記録装置１によれば、電子ペーパー１００に記録される画像部により
多段階の階調を有する画像を表示させることができる。
【００７６】
そして、このような画像記録処理（転写）が完了した電子ペーパー１００は、排紙ロー
ラーによって、画像記録装置１から排出される。
【００７７】
＜＜＜電界の大きさを異ならせるための動作例について＞＞＞
次に、上述した画像記録装置１の動作例の場合において、感光体２０ｂの感光層の膜厚
が感光体２０ａの感光層の膜厚よりも大きいため、第二間隙に発生する電界の大きさは、
第一間隙に発生する電界の大きさよりも大きくなるが、これに加えて、第一送り込み処理
の際に感光体２０ａと対向ローラー５２ａとの間（第一間隙）に発生する電界の大きさと
、第二送り込み処理の際に感光体２０ｂと対向ローラー５２ｂとの間（第二間隙）に発生
する電界の大きさとを、さらに大きく異ならせることができる。以下、さらに大きく異な
らせるべく、画像記録装置１が実行する動作例について、図７乃至図９を用いて具体的に
説明する。
【００７８】
なお、本実施形態においては、第二間隙に発生させる電界の大きさを、第一間隙に発生
させる電界の大きさよりも大きくなるように設定している。これは、第一送り込み処理の
際に第一間隙に発生した電界の作用により、マイクロカプセル１３１内の下部に存在する
負帯電黒色粒子を中間部へ移動させた後に、第二送り込み処理の際により強い電界を第二
間隙に発生させて、中間部に存在する負帯電黒色粒子を上部へ移動させた方が、電子ペー
パー１００の画像部に鮮明な黒画像を表示させることができるからである。
【００７９】
＜潜像部の帯電電圧（Ｖo）を調整＞
画像記録装置１は、コントローラー８０の制御の下、潜像部の帯電電圧（Ｖo）の値を
調整することにより、第一送り込み処理の際に発生する電界と第二送り込み処理の際に発
生する電界とを、さらに大きく異ならせることができる。
【００８０】
以下、この処理について、図２及び図７を用いて具体的に説明する。図７は、感光体２
０の帯電電圧（露光前Ｖo、露光後ＶＬ）と対向ローラー５２に印加される電圧（ＶＴ）
との関係を、第一送り込み処理の際と第二送り込み処理の際とに分けて示した図である。
【００８１】
感光体２０ａは、回転しながら、帯電位置において帯電ユニット３０ａにより、順次Ｖ
o＝５５０ボルトに帯電される。
【００８２】
感光体２０ａの帯電された領域は、感光体２０ａの回転に伴って露光位置に至り、露光
ユニット４０ａによって、第一潜像部と第二潜像部が該領域に形成される。すなわち、該
領域が第一潜像部と第二潜像部に相当する部分であれば当該領域にレーザーが照射されず
、それ以外の部位に照射される。この結果、Ｖo＝５５０ボルトの第一潜像部、第二潜像
部とＶＬ＝５０ボルトの背景部（非画像部）とが感光体２０ａ上に形成される。
【００８３】
第一送り込み処理の開始後、感光体２０ａと対向ローラー５２ａとの間に第一潜像部と
第二潜像部が位置する際に、電界発生部５４により電圧の印加が成されると、図７に示す
ように、感光体２０ａ側（上側）がＶo＝５５０ボルト、対向ローラー５２ａ側（下側）
がＶＴ＝２５０ボルトとなる。このため、図２の左図に示したように、下向き（電子ペー
パー１００の上側絶縁層１４１から下側絶縁層１４２へ向かう向き）の電界が発生する。
そして、第一潜像部及び第二潜像部に対応する電子ペーパーの部位において、当該電界の
作用により、電子ペーパー１００内の負帯電黒色粒子が上側絶縁層１４１（表示面１２１
）側に移動して、電子ペーパー１００の厚み方向における中間位置に留まる。
【００８４】
次に、第一送り込み処理の終了後、感光体２０ｂは、回転しながら、帯電位置において
帯電ユニット３０ｂにより、順次Ｖo＝８００ボルトに帯電される。
【００８５】
感光体２０ｂの帯電された領域は、感光体２０ｂの回転に伴って露光位置に至り、露光
ユニット４０ａとは光の強度が異なる露光ユニット４０ｂによって、第一潜像部と第三潜
像部が該領域に形成される。すなわち、該領域が第一潜像部と第三潜像部に相当する部分
であれば当該領域にレーザーが照射されず、それ以外の部分にはレーザーが照射される。
この結果、Ｖo＝８００ボルトの第一潜像部及び第三潜像部とＶＬ＝２５０ボルトの背景
部とが感光体２０ｂ上に形成される。
【００８６】
第一送り込み処理が終了後で、かつ、第二送り込み処理の開始後に、感光体２０ｂと対
向ローラー５２ｂとの間に第一潜像部と第三潜像部が位置する際に、当該印加が成される
と、感光体２０ｂ側（上側）がＶo＝８００ボルト、対向ローラー５２ｂ側（下側）がＶ
Ｔ＝２５０ボルトとなる。
【００８７】
このため、図２の左図に示したように、下向き（電子ペーパー１００の上側絶縁層１４
１から下側絶縁層１４２へ向かう向き）の電界が発生する。そして、第一潜像部に対応す
る電子ペーパーの部位においては、当該電界の作用により、電子ペーパー１００の厚み方
向における中間位置に留まっていた負帯電黒色粒子が、上側絶縁層１４１（表示面１２１
）側にさらに移動して、マイクロカプセル内の上部に到達する。一方、第三潜像部に対応
する電子ペーパーの部位においては、当該電界の作用により、電子ペーパー１００内の負
帯電黒色粒子が上側絶縁層１４１（表示面１２１）側に移動して、電子ペーパー１００の
厚み方向における中間位置に留まる。
【００８８】
一方、該間に第二潜像部と背景部が位置する際には、当該印加が成されると、感光体２
０ｂ側（上側）がＶＬ＝２５０ボルト、対向ローラー５２ｂ側（下側）がＶＴ＝２５０ボ
ルトとなるため、電界は発生しない。そして、第二潜像部に対応する電子ペーパー１００
の部位は、第二画像部（薄いグレー画像部）が保持され、背景部に対応する電子ペーパー
１００の部位には背景画像が保持される。
【００８９】
ここで、第一潜像部について、第一送り込み処理の際に発生する電界と第二送り込み処
理の際に発生する電界とを比較すると、電界の方向は共に同一方向であり、第二送り込み
処理の際における電界の大きさは第一送り込み処理の際よりもさらに大きい。
【００９０】
そうすると、電子ペーパー１００内の負帯電黒色粒子は、第一送り込み処理の際に発生
する電界の作用を受けて、小幅移動して中間部に留まり、その後、第二送り込み処理際に
発生する電界の作用を受けて、大幅移動して中間部から上部へ配置されることになる。
【００９１】
一方、第二潜像部については、負帯電黒色粒子が、第一送り込み処理の際に発生する電
界の作用を受けて、小幅移動して中間部に留まることになるが、第三潜像部については、
第二送り込み処理際に発生する電界の作用を受けて、大幅移動して、より上部に近い中間
部に留まることになる。
【００９２】
このようにして、第一潜像部に対応する第一画像部（黒画像部）と、第二潜像部に対応
する第二画像部（薄いグレー画像部）と、第三潜像部に対応する第三画像部（濃いグレー
画像部）とを備える画像が、電子ペーパー１００に表示されるようになる。そして、第一
画像部（黒画像部）は第二画像部（薄いグレー画像部）の階調値よりも高い階調値を有し
、第三画像部（濃いグレー画像部）は第二画像部の階調値よりも高く第一画像部の階調値
よりも低い階調値を有することになる。
【００９３】
＜対向ローラーに印加する電圧（ＶＴ）を調整（１）＞
また、画像記録装置１は、コントローラー８０の制御の下、対向ローラー５２に印加す
る電圧（ＶＴ）の値を調整することにより、第一送り込み処理の際に発生する電界と第二
送り込み処理の際に発生する電界とを、さらに大きく異ならせることができる。
【００９４】
以下、この処理について、図２及び図８を用いて具体的に説明する。図８は、感光体２
０の帯電電圧（露光前Ｖo、露光後ＶＬ）と対向ローラー５２に印加される電圧（ＶＴ）
との関係を、第一送り込み処理の際と第二送り込み処理の際とに分けて示した図である。
【００９５】
感光体２０ａは、回転しながら、帯電位置において帯電ユニット３０ａにより、順次Ｖ
o＝５５０ボルトに帯電される。
【００９６】
感光体２０ａの帯電された領域は、感光体２０ａの回転に伴って露光位置に至り、露光
ユニット４０ａによって、第一潜像部と第二潜像部が該領域に形成される。すなわち、該
領域が第一潜像部と第二潜像部に相当する部分であれば当該領域にレーザーが照射されず
、それ以外の部位が照射される。この結果、Ｖo＝５５０ボルトの第一潜像部及び第二潜
像部とＶＬ＝５０ボルトの背景部（非画像部）とが感光体２０ａ上に形成される。
【００９７】
第一送り込み処理の開始後、感光体２０ａと対向ローラー５２ａとの間に第一潜像部と
第二潜像部が位置する際に、電界発生部５４により電圧の印加が成されると、図８に示す
ように、感光体２０ａ側（上側）がＶo＝５５０ボルト、対向ローラー５２ａ側（下側）
がＶＴ＝２５０ボルトとなる。このため、図２の左図に示したように、下向き（電子ペー
パー１００の上側絶縁層１４１から下側絶縁層１４２へ向かう向き）の電界が発生する。
そして、第一潜像部及び第二潜像部に対応する電子ペーパーの部位において、当該電界の
作用により、電子ペーパー１００内の負帯電黒色粒子が上側絶縁層１４１（表示面１２１
）側に移動して、電子ペーパー１００の厚み方向における中間位置に留まる。
【００９８】
次に、第一送り込み処理の終了後、感光体２０ｂは、回転しながら、帯電位置において
帯電ユニット３０ｂにより、順次Ｖo＝８００ボルトに帯電される。
【００９９】
感光体２０ｂの帯電された領域は、感光体２０ｂの回転に伴って露光位置に至り、露光
ユニット４０ｂによって、第一潜像部と第三潜像部が該領域に形成される。すなわち、該
領域が第一潜像部と第三潜像部に相当する部分であれば当該領域にレーザーが照射されず
、それ以外の部分にはレーザーが照射される。この結果、Ｖo＝８００ボルトの第一潜像
部及び第三潜像部とＶＬ＝１５０ボルトの背景部（非画像部）とが感光体２０ｂ上に形成
される。
【０１００】
第一送り込み処理が終了後で、かつ、第二送り込み処理の開始後に、感光体２０ｂと対
向ローラー５２ｂとの間に第一潜像部と第三潜像部が位置する際に、当該印加が成される
と、感光体２０ｂ側（上側）がＶo＝８００ボルト、対向ローラー５２ｂ側（下側）がＶ
Ｔ＝１５０ボルトとなる。
【０１０１】
このため、図２の左図に示したように、下向き（電子ペーパー１００の上側絶縁層１４
１から下側絶縁層１４２へ向かう向き）の電界が発生する。そして、第一潜像部に対応す
る電子ペーパーの部位においては、当該電界の作用により、電子ペーパー１００の厚み方
向における中間位置に留まっていた負帯電黒色粒子が、上側絶縁層１４１（表示面１２１
）側にさらに移動して、マイクロカプセル内の上部に到達する。一方、第三潜像部に対応
する電子ペーパーの部位においては、当該電界の作用により、電子ペーパー１００内の負
帯電黒色粒子が上側絶縁層１４１（表示面１２１）側に移動して、電子ペーパー１００の
厚み方向における中間位置に留まる。
【０１０２】
一方、該間（第二間隙）に第二潜像部と背景部が位置する際には、当該印加が成される
と、感光体２０ｂ側（上側）がＶＬ＝１５０ボルト、対向ローラー５２ｂ側（下側）がＶ
Ｔ＝１５０ボルトとなるため、電界は発生しない。そして、第二潜像部に対応する電子ペ
ーパー１００の部位は、第二画像部（薄いグレー画像部）が保持され、背景部に対応する
電子ペーパー１００の部位には背景画像が保持される。
【０１０３】
ここで、第一潜像部について、第一送り込み処理の際に発生する電界と第二送り込み処
理の際に発生する電界とを比較すると、電界の方向は共に同一方向であり、第二送り込み
処理の際における電界の大きさは第一送り込み処理の際よりも大きい。
【０１０４】
そうすると、電子ペーパー１００内の負帯電黒色粒子は、第一送り込み処理の際に発生
する電界の作用を受けて、小幅移動して中間部に留まり、その後、第二送り込み処理際に
発生する電界の作用を受けて、大幅移動して中間部から上部へ配置されることになる。
【０１０５】
一方、電子ペーパー１００内の負帯電黒色粒子は、第二潜像部については、第一送り込
み処理の際に発生する電界の作用を受けて、小幅移動して中間部に留まることになるが、
第三潜像部については、第二送り込み処理際に発生する電界の作用を受けて、大幅移動し
て、より上部に近い中間部に留まることになる。
【０１０６】
このようにして、第一潜像部に対応する第一画像部（黒画像部）と、第二潜像部に対応
する第二画像部（薄いグレー画像部）と、第三潜像部に対応する第三画像部（濃いグレー
画像部）とを備える画像が、電子ペーパー１００に表示されるようになる。また、第一画
像部（黒画像部）は第二画像部（薄いグレー画像部）の階調値よりも高い階調値を有し、
第三画像部（濃いグレー画像部）は第二画像部の階調値よりも高く第一画像部の階調値よ
りも低い階調値を有することになる。
【０１０７】
＜対向ローラーに印加する電圧（ＶＴ）を調整（２）＞
また、画像記録装置１は、コントローラー８０の制御の下、対向ローラー５２に印加す
る電圧（ＶＴ）を直流電圧と交流電圧とを重畳した電圧にして、この直流電圧（Ｖｄｃ）
の値を調整することにより、第一送り込み処理の際に発生する電界と第二送り込み処理の
際に発生する電界とを、さらに大きく異ならせることができる。
【０１０８】
以下、この処理について、図２及び図９を用いて具体的に説明する。図９は、感光体２
０の帯電電圧（露光前Ｖo、露光後ＶＬ）と対向ローラー５２に印加される電圧（ＶＴ）
との関係を、第一送り込み処理の際と第二送り込み処理の際とに分けて示した図である。
【０１０９】
感光体２０ａは、回転しながら、帯電位置において帯電ユニット３０ａにより、順次Ｖ
o＝５５０ボルトに帯電される。
【０１１０】
感光体２０ａの帯電された領域は、感光体２０ａの回転に伴って露光位置に至り、露光
ユニット４０ａによって、第一潜像部と第二潜像部が該領域に形成される。すなわち、該
領域が第一潜像部と第二潜像部に相当する部分であれば当該領域にレーザーが照射されず
、その他の部位に照射される。この結果、Ｖo＝５５０ボルトの第一潜像部及び第二潜像
部とＶＬ＝５０ボルトの背景部（非画像部）とが感光体２０ａ上に形成される。
【０１１１】
第一送り込み処理の開始後、感光体２０ａと対向ローラー５２ａとの間に第一潜像部と
第二潜像部が位置する際に、電界発生部５４は、対向ローラー５２ａに、平均値が前記所
定電位（Ｖｄｃ１）と等しくなるような重畳電圧（直流（ＤＣ）に交流（ＡＣ）を重畳し
た電圧）を印加する。
【０１１２】
すなわち、図９に示すように、電圧（ＶＴ）の値が時間とともに変動してＶoとＶＬと
の間で前記所定電位（Ｖｄｃ１）よりも高くなったり低くなったりするように対向ローラ
ー５２に印加される電圧が制御されるため、厚み方向における電界の大きさが時間ととも
に変化することとなる。そのため、図２の左図に示したように下向き（電子ペーパー１０
０の上側絶縁層１４１から下側絶縁層１４２へ向かう向き）の電界が発生し、その電界の
大きさは所定周期で増減を繰り返す。そして、第一潜像部及び第二潜像部に対応する電子
ペーパーの部位において、当該電界の作用により、電子ペーパー１００内の負帯電黒色粒
子が上側絶縁層１４１（表示面１２１）側に移動して、電子ペーパー１００の厚み方向に
おける中間位置に留まる。
【０１１３】
次に、第一送り込み処理の終了後、感光体２０ｂは、回転しながら、帯電位置において
帯電ユニット３０ｂにより、順次Ｖo＝８００ボルトに帯電される。
【０１１４】
感光体２０ｂの帯電された領域は、感光体２０ｂの回転に伴って露光位置に至り、露光
ユニット４０ｂによって、第一潜像部と第三潜像部が該領域に形成される。すなわち、該
領域が第一潜像部と第三潜像部に相当する部分であれば当該領域にレーザーが照射されず
、その他の部位に照射される。この結果、Ｖo＝８００ボルトの第一潜像部及び第三潜像
部とＶＬ＝Ｖｄｃ２ボルトの背景部（非画像部）とが感光体２０ｂ上に形成される。
【０１１５】
第一送り込み処理が終了後で、かつ、第二送り込み処理の開始後に、感光体２０ｂと対
向ローラー５２ｂとの間に第一潜像部と第三潜像部が位置する際に、電界発生部５４は、
対向ローラー５２ｂに、平均値が前記所定電位（Ｖｄｃ２）と等しくなるような重畳電圧
（直流（ＤＣ）に交流（ＡＣ）を重畳した電圧）を印加する。ここで、Ｖｄｃ２の値はＶ
ｄｃ１の値よりも小さい値に設定されている。これにより、第二送り込み処理の際に発生
する電界の大きさが、第一送り込み処理の際に発生する電界の大きさよりも大きくなる。
【０１１６】
すなわち、図９に示すように、電圧（ＶＴ）の値が時間とともに変動して前記所定電位
（Ｖｄｃ２）よりも高くなったり低くなったりするように対向ローラー５２に印加される
電圧が制御されるため、厚み方向における電界の大きさがより大きくなり、時間とともに
変化することとなる。そのため、図２の左図に示したように下向き（電子ペーパー１００
の上側絶縁層１４１から下側絶縁層１４２へ向かう向き）の電界が発生し、その電界の大
きさは所定周期で増減を繰り返す。そして、第一潜像部に対応する電子ペーパーの部位に
おいては、当該電界の作用により、電子ペーパー１００の厚み方向における中間位置に留
まっていた負帯電黒色粒子が、上側絶縁層１４１（表示面１２１）側にさらに移動して、
マイクロカプセル内の上部に到達する。一方、第三潜像部に対応する電子ペーパーの部位
においては、当該電界の作用により、電子ペーパー１００内の負帯電黒色粒子が上側絶縁
層１４１（表示面１２１）側に移動して、電子ペーパー１００の厚み方向における中間位
置に留まる。
【０１１７】
一方で、該間（第二間隙）に第二潜像部と背景部が位置する際には、当該印加が成され
ると、感光体２０ｂ側（上側）がＶＬ＝Ｖｄｃ２ボルト、対向ローラー５２ｂ側（下側）
はＶＴ＝Ｖｄｃ２ボルト（平均電圧値）となるため、電界は発生しない。そして、第二潜
像部に対応する電子ペーパー１００の部位は、第二画像部（薄いグレー画像部）が維持さ
れ、背景部に対応する電子ペーパー１００の部位には背景画像が維持される。
【０１１８】
ここで、第一潜像部について、第一送り込み処理の際に発生する電界と第二送り込み処
理の際に発生する電界とを比較すると、電界の方向は共に同一方向であり、第二送り込み
処理の際における電界の大きさは第一送り込み処理の際よりも大きい。
【０１１９】
そうすると、電子ペーパー１００内の負帯電黒色粒子は、第一送り込み処理の際に発生
する電界の作用を受けて、小幅移動して中間部に留まり、その後、第二送り込み処理際に
発生する電界の作用を受けて、大幅移動して中間部から上部へ配置されることになる。
【０１２０】
一方、電子ペーパー１００内の負帯電黒色粒子は、第二潜像部については、第一送り込
み処理の際に発生する電界の作用を受けて、小幅移動して中間部に留まることになるが、
第三潜像部については、第二送り込み処理の際に発生する電界の作用を受けて、大幅移動
して、より上部に近い中間部に留まることになる。
【０１２１】
このようにして、第一潜像部に対応する第一画像部（黒画像部）と、第二潜像部に対応
する第二画像部（薄いグレー画像部）と、第三潜像部に対応する第三画像部（濃いグレー
画像部）とを備える画像が、電子ペーパー１００に表示されるようになる。また、第一画
像部（黒画像部）は第二画像部（薄いグレー画像部）の階調値よりも高い階調値を有し、
第三画像部（濃いグレー画像部）は第二画像部の階調値よりも高く第一画像部の階調値よ
りも低い階調値を有することになる。
【０１２２】
＜対向ローラーに印加する電圧（ＶＴ）を調整（３）＞
さらに、画像記録装置１は、コントローラー８０の制御の下、対向ローラー５２に印加
する電圧（ＶＴ）を直流電圧と交流電圧とを重畳した電圧にして、この交流電圧のデュー
ティー比を調整することにより、第一送り込み処理の際に発生する電界と第二送り込み処
理の際に発生する電界とを、さらに大きく異ならせることができる。
【０１２３】
以下、この処理について、図２及び図１０を用いて具体的に説明する。図１０は、感光
体２０の帯電電圧（露光前Ｖo、露光後ＶＬ）と対向ローラー５２に印加される電圧（Ｖ
Ｔ）との関係を、第一送り込み処理の際と第二送り込み処理の際とに分けて示した図であ
る。
【０１２４】
感光体２０ａは、回転しながら、帯電位置において帯電ユニット３０ａにより、順次Ｖ
o＝５５０ボルトに帯電される。
【０１２５】
感光体２０ａの帯電された領域は、感光体２０ａの回転に伴って露光位置に至り、露光
ユニット４０ａによって、第一潜像部と第二潜像部が該領域に形成される。すなわち、該
領域が第一潜像部と第二潜像部に相当する部分であれば当該領域にレーザーが照射されず
、それ以外の部位が照射される。この結果、Ｖo＝５５０ボルトの第一潜像部及び第二潜
像部とＶＬ＝５０ボルトの背景部（非画像部）とが感光体２０ａ上に形成される。
【０１２６】
第一送り込み処理の開始後、感光体２０ａと対向ローラー５２ａとの間に第一潜像部と
第二潜像部が位置する際に、電界発生部５４は、対向ローラー５２ａに、平均値が前記所
定電位（Ｖｄｃ１）と等しくなるような重畳電圧（直流（ＤＣ）に交流（ＡＣ）を重畳し
た電圧）を印加する。
【０１２７】
すなわち、図１０に示すように、電圧（ＶＴ）の値が時間とともに変動してＶoとＶＬ
との間で前記所定電位（Ｖｄｃ１）よりも高くなったり低くなったりするように対向ロー
ラー５２に印加される電圧が制御されるため、厚み方向における電界の大きさが時間とと
もに変化することとなる。そのため、図２の左図に示したように下向き（電子ペーパー１
００の上側絶縁層１４１から下側絶縁層１４２へ向かう向き）の電界が発生し、その電界
の大きさは所定周期で増減を繰り返す。そして、第一潜像部及び第二潜像部に対応する電
子ペーパーの部位において、当該電界の作用により、電子ペーパー１００内の負帯電黒色
粒子が上側絶縁層１４１（表示面１２１）側に移動して、電子ペーパー１００の厚み方向
における中間位置に留まる。
【０１２８】
次に、第一送り込み処理の終了後、感光体２０ｂは、回転しながら、帯電位置において
帯電ユニット３０ｂにより、順次Ｖo＝８００ボルトに帯電される。
【０１２９】
感光体２０ｂの帯電された領域は、感光体２０ｂの回転に伴って露光位置に至り、露光
ユニット４０ｂによって、第一潜像部と第三潜像部が該領域に形成される。すなわち、該
領域が第一潜像部と第三潜像部に相当する部分であれば当該領域にレーザーが照射されず
、その他の部位に照射される。この結果、Ｖo＝８００ボルトの第一潜像部及び第三潜像
部とＶＬ＝Ｖｄｃ２ボルトの背景部とが感光体２０ｂ上に形成される。
【０１３０】
第一送り込み処理が終了後で、かつ、第二送り込み処理の開始後に、感光体２０ｂと対
向ローラー５２ｂとの間に第一潜像部と第三潜像部が位置する際に、電界発生部５４は、
対向ローラー５２ｂに、平均値が前記所定電位（Ｖｄｃ２）と等しくなるような重畳電圧
（直流（ＤＣ）に交流（ＡＣ）を重畳した電圧）を印加する。ここで、交流電圧のデュー
ティー比は、第二送り込み処理の際に印加される交流電圧の方が大きく設定されている。
これにより、第二送り込み処理の際に発生する電界の大きさが、第一送り込み処理の際に
発生する電界の大きさよりも大きくなる。
【０１３１】
すなわち、図１０に示すように、電圧（ＶＴ）の値が時間とともに変動して前記所定電
位（Ｖｄｃ２）よりも高くなったり低くなったりするように対向ローラー５２に印加され
る電圧が制御されるため、厚み方向における電界の大きさがより大きくなり、時間ととも
に変化することとなる。そのため、図２の左図に示したように、下向き（電子ペーパー１
００の上側絶縁層１４１から下側絶縁層１４２へ向かう向き）の電界が発生し、その大き
さが所定周期で増減を繰り返す。そして、第一潜像部に対応する電子ペーパーの部位にお
いては、当該電界の作用により、電子ペーパー１００の厚み方向における中間位置に留ま
っていた負帯電黒色粒子が、上側絶縁層１４１（表示面１２１）側にさらに移動して、マ
イクロカプセル内の上部に到達する。一方、第三潜像部に対応する電子ペーパーの部位に
おいては、当該電界の作用により、電子ペーパー１００内の負帯電黒色粒子が上側絶縁層
１４１（表示面１２１）側に移動して、電子ペーパー１００の厚み方向における中間位置
に留まる。
【０１３２】
一方で、該間に第二潜像部と背景部が位置する際には、当該印加が成されると、感光体
２０ｂ側（上側）がＶＬ＝Ｖｄｃ２ボルト、対向ローラー５２ｂ側（下側）はＶＴ＝Ｖｄ
ｃ２ボルト（平均電圧値）となるため、電界は発生しない。そして、第二潜像部に対応す
る電子ペーパー１００の部位は、第二画像部（薄いグレー画像部）が維持され、背景部に
対応する電子ペーパー１００の部位には背景画像が維持される。
【０１３３】
ここで、第一潜像部について、第一送り込み処理の際に発生する電界と第二送り込み処
理の際に発生する電界とを比較すると、電界の方向は共に同一方向であり、第二送り込み
処理の際における電界強度の増減周期は第一送り込み処理の際よりも長い。
【０１３４】
そうすると、電子ペーパー１００内の負帯電黒色粒子は、第一送り込み処理の際に発生
する電界の作用を受けて、小幅移動して中間部に留まり、その後、第二送り込み処理際に
発生する電界の作用を受けて、大幅移動して中間部から上部へ配置されることになる。
【０１３５】
一方、電子ペーパー１００内の負帯電黒色粒子は、第二潜像部については、第一送り込
み処理の際に発生する電界の作用を受けて、小幅移動して中間部に留まることになるが、
第三潜像部については、第二送り込み処理際に発生する電界の作用を受けて、大幅移動し
て、より上部に近い中間部に留まることになる。
【０１３６】
このようにして、第一潜像部に対応する第一画像部（黒画像部）と、第二潜像部に対応
する第二画像部（薄いグレー画像部）と、第三潜像部に対応する第三画像部（濃いグレー
画像部）とを備える画像が、電子ペーパー１００に表示されるようになる。そして、第一
画像部（黒画像部）は第二画像部（薄いグレー画像部）の階調値よりも高い階調値を有し
、第三画像部（濃いグレー画像部）は第二画像部の階調値よりも高く第一画像部の階調値
よりも低い階調値を有することになる。
【０１３７】
＝＝＝その他の実施の形態＝＝＝
本実施形態は、主として電子ペーパーへの画像記録装置について記載されるが、電子ペ
ーパーへの画像記録方法等の開示も含まれる。また、本実施形態は、本発明の理解を容易
にするためのものであり、本発明を限定して解釈するためのものではない。本発明は、そ
の趣旨を逸脱することなく、変更、改良され得ると共に、本発明にはその等価物が含まれ
ることは言うまでもない。特に、以下に述べる実施形態であっても、本発明に含まれるも
のである。
【０１３８】
＜電子ペーパー＞
上記の実施形態においては、着色帯電粒子として正帯電白色粒子と負帯電黒色粒子を例
に挙げて説明したが、これに限定されるものではない。
【０１３９】
例えば、白色粒子が負帯電であり、黒色粒子が正帯電であってもよい。また、色につい
ては、白色、黒色に限定されるものではなく、双方の色が異なっていればどのような色で
あってもよい。例えば、赤色、青色、緑色などの有彩色や、金色、銀色等の金属光沢色か
ら目的に合わせて適宜選択することができる。また、二色の粒子のうちの片方のみが帯電
していて他方が帯電していない（無帯電である）場合（例えば、白色粒子が無帯電である
ため、着色帯電粒子としては負帯電黒色粒子のみが存在する場合）であってもよく、この
ような場合にも本発明を適用できる。
【０１４０】
また、上記実施の形態においては、電子ペーパー１００の上側絶縁層１４１が光透過性
を有する（実質的に透明である）一方で、下側絶縁層１４２は光透過性を有さない（実質
的に不透明である）こととしたが、これに限定されるものではない。例えば、上側絶縁層
１４１と下側絶縁層１４２の双方が光透過性を有する（実質的に透明である）こととして
もよく、この場合には、上側絶縁層１４１と下側絶縁層１４２のいずれをも表示面１２１
とすることが可能となる。
【符号の説明】
【０１４１】
１  画像記録装置、２０  感光体、２０ａ  感光体、２０ｂ  感光体、
３０  帯電ユニット、３０ａ  帯電ローラー、３０ｂ  帯電ローラー、
４０  露光ユニット、４０ａ  露光ユニット、４０ｂ  露光ユニット、
５０  電界生成ユニット、５０ａ  電界生成ユニット、５０ｂ  電界生成ユニット、
５２  対向ローラー、５２ａ  対向ローラー、５２ｂ  対向ローラー、
５４  電界発生部、６０  搬送ユニット、６２  ペーパーカセット、
６４  給紙ローラー、６６  搬送ローラー、８０  コントローラー、
８１  インターフェイス部、８２  ＣＰＵ、８３  メモリー、
８４  ユニット制御回路、１００  電子ペーパー、
１０３  表示層、１０７  封止部、１２１  表示面、
１３１  マイクロカプセル、１３２  バインダ、
１３３  カプセル本体、１４１  上側絶縁層、１４２  下側絶縁層
【図１】
2011221160.tif 000003
【図２】
2011221160.tif 000004
【図３】
2011221160.tif 000005
【図４】
2011221160.tif 000006
【図５】
2011221160.tif 000007
【図６】
2011221160.tif 000008
【図７】
2011221160.tif 000009
【図８】
2011221160.tif 000010
【図９】
2011221160.tif 000011
【図１０】
2011221160.tif 000012